(57)【要約】【課題】持ち運びと収納が便利にできる薄型の折り畳みキーボードを提供する。【解決手段】連結部、連結部に軸接続されたトップカバー、連結部に接続され、第一位置と第二位置の間で可動する第一キーアセンブリ、および第一キーアセンブリに軸接続された第二キーアセンブリを含み、それが操作状態にある時、前記第一キーアセンブリは、前記第一位置に位置され、前記第二キーアセンブリは、前記第一キーアセンブリと前記トップカバーの間に位置され、それが折り畳み状態にある時、前記第一キーアセンブリは、前記第二位置に位置される折り畳みキーボード。【選択図】図３Ａ
0003112517.tif 000002
【実用新案登録請求の範囲】
【請求項１】
連結部（３０）と、前記連結部（３０）に軸接続されたトップカバー（４０）と、前記連結部（３０）に接続され、第一位置と第二位置との間で可動することができる第一キーアセンブリ（５０）と、前記第一キーアセンブリ（５０）に軸接続された第二キーアセンブリ（６０）とを備えた折り畳みキーボードであって、前記折り畳みキーボードを操作する場合、前記第一キーアセンブリ（５０）は前記第一位置にあり、前記第二キーアセンブリ（６０）は、前記第一キーアセンブリ（５０）とトップカバー（４０）との間に位置しており、前記折り畳みキーボードが折り畳み状態にある場合、前記第一キーアセンブリ（５０）は、前記第二位置に位置することを特徴とする折り畳みキーボード。
【請求項２】
前記第一キーアセンブリ（５０）は、複数の第一キー（５２）を備え、前記第二キーアセンブリ（６０）は、複数の第二キー（６２）を備え、前記折り畳み状態にある場合には、前記第二キー（６２）は、前記第一キー（５２）と面する請求項１に記載の折り畳みキーボード。
【請求項３】
前記第一キーアセンブリ（５０）と前記第二キーアセンブリ（６０）とは、前記操作する状態にある場合、同じ水平面に位置される請求項１に記載の折り畳みキーボード。
【請求項４】
前記連結部（３０）は、第一スロット（３４）を備え、前記第一キーアセンブリ（５０）は、前記第一スロット（３４）に設置されたリブ（５３）を備えていることによって、前記第一キーアセンブリ（５０）は、前記第一位置と前記第二位置との間で可動することができる請求項１に記載の折り畳みキーボード。
【請求項５】
前記連結部（３０）は、フック（３２）を備え、前記第二キーアセンブリ（６０）は、ロック部（６８）を備えており、前記操作する状態にある場合、前記フック（３２）は、前記第二キーアセンブリ（６０）を固定するためにロック部（６８）と係合する請求項１に記載の折り畳みキーボード。
【請求項６】
前記トップカバー（４０）は、凸部（４６）を備え、前記第一キーアセンブリ（５０）は、第二スロット（５６）を備えており、前記第二キーアセンブリ（６０）が、前記第一キーアセンブリ（５０）と前記トップカバー（４０）との間に位置している場合、前記凸部（４６）は、前記第二スロット（５６）にスライドが可能となるように係合されている請求項１に記載の折り畳みキーボード。
【請求項７】
前記第一キーアセンブリ（５０）は、第一ノッチ（５４）を備え、前記第二キーアセンブリ（６０）は、第二ノッチ（６６）を備えており、前記第一キーアセンブリ（５０）が前記第二キーアセンブリ（６０）上に配置されている場合、前記第一ノッチ（５４）は、前記第二ノッチ（６６）に対応する請求項６に記載の折り畳みキーボード。
【請求項８】
前記第二キーアセンブリ（６０）が、前記第一キーアセンブリ（５０）の上に配置されている場合、前記トップカバー（４０）の前記凸部（４６）は、前記第一ノッチ（５４）と前記第二ノッチ（６６）とを通り、前記第二スロット（５６）に入る請求項７に記載の折り畳みキーボード。
【請求項９】
前記第一キーアセンブリ（５０）は、前記第一キー（５２）によって不規則に形成された第一端（Ｅ１）を含み、前記第二キーアセンブリ（６０）は、前記第二キー（６２）によって不規則に形成された第二端（Ｅ２）を含み、かつ、前記第一端（Ｅ１）に相補し、前記第一端（Ｅ１）の前記第一キー（５２）は、前記第二端（Ｅ２）の前記第二キー（６２）と交互に対応する請求項２に記載の折り畳みキーボード。
【請求項１０】
前記トップカバー（４０）に軸接続した支持板（４４）をさらに備え、前記操作する状態にある場合、前記トップカバー（４０）は、傾斜角度で前記支持板（４４）によって担持されている請求項１に記載の折り畳みキーボード。
【請求項１１】
前記トップカバー（４０）は、回路（４７）と、前記回路（４７）に電気的接続された赤外線受信機／エミッタ（４９１）とを備えた請求項１に記載の折り畳みキーボード。
【請求項１２】
少なくとも二つの端を含む調整バー（４９）を更に備え、前記調整バー（４９）の一端は、回転自在になるように前記トップカバー（４０）に設置され、前記赤外線受信機／エミッタ（４９１）は、前記調整バー（４９）のもう一端に設置される請求項１１に記載の折り畳みキーボード。
【考案の詳細な説明】
【技術分野】
【０００１】
本考案は、キーボードに関し、特に、折り畳みキーボードに関するものである。
【背景技術】
【０００２】
図１は、従来の二つ折りキーボード１０の概略図である。キーボード１０は、左キー部１２、右キー部１４、軸１６と、左キー部１２に接続されたブラケット１８とからなる。左キー部１２は、軸１６を通して右キー部１４に軸接続される。左キー部１２と右キー部１４が軸１６を通して収納状態に一緒に折り畳まれた時、折り畳まれたキーボード１０のサイズは、半分に縮小される。
【０００３】
ブラケット１８は、左キー部１２（または右キー部１４）に接続され、例えば、携帯情報端末（ＰＤＡ）などの携帯型電子機器を支えるためのものである。特に、ブラケット１８によって支えられている電子機器は、視認性をよくするため、キーボード１０の中央領域に移動されなければならない。しかし、ブラケット１８を折り畳まれていないキーボード１０の中央に移動させるのは容易でない。
【０００４】
図２は、従来のもう一つの四つ折り型折り畳みキーボード２０の概略図である。キーボード２０は、第一部２２ａ、第二部２２ｂ、第三部２２ｃと第四部２２ｄを備えており、図１Ｂに示された方法によって折り畳むことができる。しかし、四つ折り型折り畳みキーボード２０は、非常に厚く、第二部２２ｂと第三部２２ｃの間のいくつかのキー２４は、キーボード２０が折り畳まれた時、外側に突出し、キー２４が損傷しやすくなるといった問題があった。
【考案の開示】
【考案が解決しようとする課題】
【０００５】
本考案は、持ち運びと収納が便利にできる薄型の折り畳みキーボードを提供する。
【課題を解決するための手段】
【０００６】
本考案の折り畳みキーボードは、連結部と、連結部に軸接続されたトップカバーと、連結部に接続され、第一位置と第二位置の間で可動し、連結部と接続している第一キーアセンブリと、第一アセンブリと軸接続された第二キーアセンブリとを備える。本考案の折り畳みキーボードを操作する状態の場合、第一キーアセンブリは第一位置に位置し、第二キーアセンブリは第一アセンブリとトップカバーとの間に位置する。本考案の折り畳みキーボードが折り畳みの状態にある場合、第一キーアセンブリは、第二位置に位置する。
【０００７】
好ましい実施例として、第一キーアセンブリは、複数の第一キーを含み、第二キーアセンブリは、複数の第二キーを備えている。第一キーアセンブリは、第一キーで不規則に形成された第一端を含み、第二キーアセンブリは、第二キーで不規則に形成された第二端を含み、第一端と相補し、第一端Ｅ１の第一キーは、第二端の第二キーと交互に対応する。折り畳みキーボードが折り畳みの状態にある場合、第二キーは第一キーに面する。
【０００８】
連結部は、第一スロットを含み、第一キーアセンブリは、第一スロットに設置されたリブを含み、第一キーアセンブリを第一位置と第二位置の間で可動させる。連結部は、フックを含み、第二キーアセンブリは、ロック部を備えている。折り畳みキーボードが操作状態にある場合、第二キーアセンブリを固定するため、フックは、ロック部と係合している。
【０００９】
トップカバーは、凸部を更に含み、第一キーアセンブリは、第二スロットを備えている。第二キーアセンブリが第一キーアセンブリとトップカバーの間に位置された場合、凸部は、第二スロットにスライド可能となるように係合される。第一キーアセンブリは、第一ノッチを含み、第二キーアセンブリは、第二ノッチを含み、第二キーアセンブリが第一キーアセンブリの上に配置された時、第一ノッチは、第二ノッチに対応する。
【考案の効果】
【００１０】
本考案の折り畳みキーボードは、便利に持ち運び、収納することができ、二つ折りの折り畳みキーボードは、従来の四つ折りの折り畳みキーボードに比べ、厚さが薄い。また、トップカバー４０のデザインは、ＰＤＡまたは異なる電子機器に適し、キーをダメージとゴミの堆積から保護する。
【考案を実施するための最良の形態】
【００１１】
本考案についての目的、特徴、長所が一層明確に理解されるよう、以下に実施形態を例示し、図面を参照にしながら、詳細に説明する。
【実施例】
【００１２】
図３Ａでは、本考案の折り畳みキーボード１００の操作状態を示している。すなわち、従来のキーボードと同じ状態を示している。折り畳みキーボード１００は、連結部３０、連結部３０に軸接続されたトップカバー４０、連結部３０に接続され、第一位置と第二位置の間で可動する第一キーアセンブリ５０、軸４２、支持板４４、軸４５、軸５８、軸５８によって第一キーアセンブリ５０の右側に接続された第二キーアセンブリ６０を備えている。
【００１３】
折り畳みキーボード１００が操作状態にある時、第一キーアセンブリ５０は、第一位置に位置され、第二キーアセンブリ６０は、第一キーアセンブリ５０とトップカバー４０の間に位置され、第一キーアセンブリ５０と第二キーアセンブリ６０とは、ほぼ同じ水平面に位置される。折り畳みキーボード１００が折り畳み状態にある時、第二キーアセンブリ６０は、第一キーアセンブリ５０の上に位置され、トップカバー４０は、第一キーアセンブリ５０と第二キーアセンブリ６０とで係合される。よって、第一キーアセンブリ５０は、連結部３０に対応して第二位置に位置される。
【００１４】
第一キーアセンブリ５０は第一ハウジング５１と、第一ハウジング５１に設置された複数の第一キー５２を備えている。第二キーアセンブリ６０は、第二ハウジング６１と第二ハウジング６１に設置された複数の第二キー６２を備えている。第一キーアセンブリ５０は、第一キー５２で不規則に形成された第一端Ｅ１を含み、第二キーアセンブリ６０は、第二キー６２で不規則に形成された第二端Ｅ２を含み、第一端Ｅ１と相補する。第一端Ｅ１の第一キー５２は、第二端Ｅ２の第二キー６２と交互に対応し、点線ａ−ａ’で分かれる。
【００１５】
図３Ａと図３Ｂでは、連結部３０は、第一スロット３４を含み、第一キーアセンブリ５０は、第一スロット３４に設置されたリブ５３を含み、第一キーアセンブリ５０は、第一位置と第二位置の間で可動させることができる。
【００１６】
図３Ａに示すように、折り畳みキーボード１００が操作状態にある時、第一キーアセンブリ５０は、連結部３０に対応して第一位置に位置され、第一キーアセンブリ５０と第二キーアセンブリ６０とは、ほぼ同じ水平面に位置される。
【００１７】
連結部３０は、フック３２を含み、第二キーアセンブリ６０は、ロック部６８を備えている。折り畳みキーボード１００が操作状態にある時、フック３２は、第二キーアセンブリ６０を固定するためにロック部６８に係合されている。
【００１８】
図３Ａでは、トップカバー４０は、軸４２によって連結部３０と軸接続され、トップカバー４０は、軸４５によって支持板４４に軸接続される。折り畳みキーボード１００が操作状態にある時、トップカバー４０は、傾斜角度をつけて支持板４４によって担持されている。例えば、ＰＤＡなどの携帯用電子機器７０には、赤外線受信機７１を有する。
【００１９】
トップカバー４０は、回路４７、調整バー４９と赤外線受信機／エミッタ４９１を備えている。回路４７は、第一キーアセンブリ５０（未表示）と赤外線受信機／エミッタ４９１のキーボード制御回路に電気的に接続されている。調整バー４９は、二つの端を含み、そのうちの調整バー４９の一端は、回転自在になるようにトップカバー４０に設置され、赤外線受信機／エミッタ４９１は、調整バー４９のもう一端に設置される。
【００２０】
図３Ｃに示すように、ユーザーが折り畳みキーボード１００を操作して、調整バー４９を既定の位置に動かす時、キーボード制御回路からの信号は、赤外線受信機／エミッタ４９１を通して携帯用電子機器７０の赤外線受信機７１に伝送される。
【００２１】
図４と図５では、第二キーアセンブリ６０を第一キーアセンブリ５０に折り畳む場合（すなわち、折り畳みキーボード１００を操作状態から折り畳み状態に操作する）、第一キーアセンブリ５０の第一キー５２は、第二キーアセンブリ６０の第二キー６２に面する。
【００２２】
トップカバー４０は、凸部４６を更に含み、第一キーアセンブリ５０は、第一ノッチ５４と、第一ノッチ５４に接続した第二スロット５６を更に含み、第二キーアセンブリ６０は、第二ノッチ６６を更に備えている。
【００２３】
図６では、第二キーアセンブリ６０が第一キーアセンブリ５０の上に配置された時、第一ノッチ５４は、第二ノッチ６６に対応し、トップカバー４０の凸部４６を第二ノッチ６６、第一ノッチ５４とに通し、第二スロット５６の中に入らせる。よって、第二スロット５６と係合したトップカバー４０の凸部４６は、第二スロット５６に沿って水平に動く。
【００２４】
図７は、本考案の折り畳んだ状態の折り畳みキーボードの斜視図である。トップカバー４０の凸部４６が第二スロット５６と係合した時、第二キーアセンブリ６０は、第一キーアセンブリ５０とトップカバー４０の間に位置される。リブ５３と第一スロット３４の係合と、凸部４６と第二スロット５６の係合とによって、第一キーアセンブリ５０と第二キーアセンブリ６０とは、スライド可能となるように動かされ、トップカバー４０の中に収納される。よって、第一キーアセンブリ５０は、連結部３０に対応して第二位置に位置される。
【００２５】
他方では、折り畳みキーボード１００を折り畳み状態（図７）から操作状態（図３Ａ）に実行する時、ユーザーは、まず、第一キーアセンブリ５０と第二キーアセンブリ６０とを引っ張り出し、トップカバー４０を開け、次に第二キーアセンブリ６０を第二位置に展開させる。
【００２６】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００２７】
【図１】従来の折り畳みキーボードの概略図である。
【図２】従来のもう一つの折り畳みキーボードの概略図である。
【図３Ａ】操作状態の本考案の折り畳みキーボードの斜視図である。
【図３Ｂ】図３Ａのラインｂ−ｂ’に沿った折り畳みキーボードの断面図である。
【図３Ｃ】携帯型電子機器を組み込んだ本考案の折り畳みキーボードの概略図である。
【図４】もう一つの操作状態の折り畳みキーボードの斜視図である。
【図５】折り畳みキーボードの第一キーアセンブリ上に第二キーアセンブリが配置された状態の斜視図である。
【図６】折り畳みキーボードが閉じられている状態のトップカバーの斜視図である。
【図７】折り畳み状態の本考案の折り畳みキーボードの斜視図である。
【符号の説明】
【００２８】
１０      従来の二つ折りキーボード
１２      左キー部
１４      右キー部
１６      軸
１８      ブラケット
２０      四つ折りキーボード
２２ａ    第一部
２２ｂ    第二部
２２ｃ    第三部
２２ｄ    第四部
２４      キー
１００    本考案のキーボード
３０      連結部
３２      フック
３４      第一スロット
４０      トップカバー
４２      軸
４４      支持板
４５      軸
４６      凸部
４７      回路
４８      軸
４９      調節バー
４９１    赤外線受信機／エミッタ
５０      第一キーアセンブリ
５２      第一キー
５３      リブ
５４      第一ノッチ
５６      第二スロット
５８      軸
６０      第二キーアセンブリ
６１      第二ハウジング
６２      第二キー
６６      第二ノッチ
６８      ロック部
７０      携帯用電子機器
７１      赤外線受信機
ａ−ａ’  点線
ｂ−ｂ’  ライン
Ｅ１      第一端
Ｅ２      第二端
【図１】
0003112517.tif 000003
【図２】
0003112517.tif 000004
【図３Ａ】
0003112517.tif 000005
【図３Ｂ】
0003112517.tif 000006
【図３Ｃ】
0003112517.tif 000007
【図４】
0003112517.tif 000008
【図５】
0003112517.tif 000009
【図６】
0003112517.tif 000010
【図７】
0003112517.tif 000011